(57)【要約】      （修正有）【課題】収容する荷物の容積に応じて、簡単に収容容積を変更することのできるバッグを提供する。【解決手段】バッグは、開口２３を有する第１の袋２０と、開口３３を有し、第１の袋内に収容可能である第２の袋３０とを備え、第１の袋の開口縁部２５と第２の袋の開口縁部３５とが所定の長さで接合されて接合部５０が形成されている。第１の袋内に第２の袋が収容された第１の状態から、第１の袋の底部２４が第１の袋の開口２３を通過するように底部を移動させて第１の袋の表裏を反転させることにより、第２の袋が第１の袋の外側に出て、第１の袋と第２の袋とが並んで配置される第２の状態となる。【選択図】図１
0003190517.tif 000002
【実用新案登録請求の範囲】
【請求項１】
開口を有する第１の袋と、
開口を有し、前記第１の袋内に収容可能である第２の袋とを備え、
前記第１の袋の開口縁部と前記第２の袋の開口縁部とが所定の長さで接合されて接合部が形成され、
前記第１の袋内に前記第２の袋が収容された第１の状態では、前記第１の袋の開口と前記第２の袋の開口とが同じ向きに開き、前記接合部が前記第１の袋の開口縁部及び前記第２の袋の開口縁部の一方側に位置し、
前記第１の状態から、前記第１の袋の底部が前記第１の袋の開口を通過するように前記底部を移動させて前記第１の袋の表裏を反転させることにより、前記第２の袋が前記第１の袋の外側に出て、前記第１の袋と前記第２の袋とが並んで配置される第２の状態となり、
前記第２の状態では、前記第１の袋の開口と前記第２の袋の開口とが同じ向きに開き、前記接合部が前記第１の袋の開口縁部の他方側に位置し、かつ、前記第２の袋の開口縁部の一方側に位置するバッグ。
【請求項２】
第１〜第３の把持部とをさらに備え、
前記第１の把持部は、前記第１の袋の開口縁部における前記接合部以外の範囲に接合され、
前記第２の把持部は、前記第２の袋の開口縁部における前記接合部以外の範囲に接合され、
前記第３の把持部は、前記接合部に接合される請求項１に記載のバッグ。
【請求項３】
前記第３の把持部は、前記接合部の両端部から中央よりの位置に接合され、
前記第３の把持部の一端部の接合位置と、前記第３の把持部の他端部の接合位置とは、前記接合部の中央に対して対称な位置である請求項１または２に記載のバッグ。
【請求項４】
前記接合部は、前記第１の袋の開口縁部の周長の１／２の長さより短く、かつ、前記第２の袋の開口縁部の周長の１／２の長さより短い請求項１〜３のいずれか一項に記載のバッグ。
【考案の詳細な説明】
【技術分野】
【０００１】
本考案は、バッグ、特に、買い物等に用いられるバッグに関する。
【背景技術】
【０００２】
一般に、例えばスーパーマーケット、コンビニエンスストアなどの販売店で商品を購入した買い物客は、配布されるレジ袋に商品を収容して持ち帰っている。近年では、資源の有効活用や環境保護の観点から、レジ袋を使用せず、買い物客が持参した手提げバッグに商品を収容して持ち帰ることも多くなっている。
しかし、買い物客が、購入する商品を想定して手提げバッグを持参しても、例えば、購入する予定のない商品を購入した場合には、持参した手提げバッグでは購入商品を収容できない場合がある。
【考案の概要】
【考案が解決しようとする課題】
【０００３】
本考案は、上記した課題に着目してなされたものであり、収容する荷物の容積に応じて、簡単に収容容積を変更することのできるバッグを提供することを目的としている。
【課題を解決するための手段】
【０００４】
本考案の上記目的は、開口を有する第１の袋と、開口を有し、前記第１の袋内に収容可能である第２の袋とを備え、前記第１の袋の開口縁部と前記第２の袋の開口縁部とが所定の長さで接合されて接合部が形成され、前記第１の袋内に前記第２の袋が収容された第１の状態では、前記第１の袋の開口と前記第２の袋の開口とが同じ向きに開き、前記接合部が前記第１の袋の開口縁部及び前記第２の袋の開口縁部の一方側に位置し、前記第１の状態から、前記第１の袋の底部が前記第１の袋の開口を通過するように前記底部を移動させて前記第１の袋の表裏を反転させることにより、前記第２の袋が前記第１の袋の外側に出て、前記第１の袋と前記第２の袋とが並んで配置される第２の状態となり、前記第２の状態では、前記第１の袋の開口と前記第２の袋の開口とが同じ向きに開き、前記接合部が前記第１の袋の開口縁部の他方側に位置し、かつ、前記第２の袋の開口縁部の一方側に位置するバッグにより達成される。
【０００５】
前記構成によれば、本考案のバッグは、第１の状態では、第１の袋内に第２の袋が収容されているので、バッグの収容容積は第１の袋の収容容積と同じである。また、第２の状態では、第１の袋と前記第２の袋とが並んで配置されるので、バッグの収容容積は第１の袋の収容容積と第２の袋の収容容積の和になり、収容容積が第１の状態よりも大きくなる。このため、バッグの使用者は、第１の状態と第２の状態とを切換えることにより、収容する荷物の容積に応じてバッグの収容容積を変更することができる。また、第１の袋の表裏を反転させて第２の袋を第１の袋の外側に出すだけの簡単な動作で、第１の状態と第２の状態とを切換えることができる。
【０００６】
さらに、本考案のバッグは、第１の袋内に第２の袋が収容されている第１の状態では、第２の袋を第１の袋内の空間を仕切る間仕切りとして使用することができる。また、第１の袋と第２の袋とが並んで配置された第２の状態では、２つの袋は接合部で接続されているものの別々に荷物を収容することができる。
このため、例えば暖かい状態が好ましい商品と冷たい状態が好ましい商品、瓶や缶など硬い商品と野菜や果物など傷がつくのを避けたい商品とを別々に収容することが可能となる。
【０００７】
上記構成のバッグの好ましい実施態様においては、第１〜第３の把持部とをさらに備え、前記第１の把持部は、前記第１の袋の開口縁部における前記接合部以外の範囲に接合され、前記第２の把持部は、前記第２の袋の開口縁部における前記接合部以外の範囲に接合され、前記第３の把持部は、前記接合部に接合されることを特徴としている。
【０００８】
前記構成によれば、第３の把持部は、第１の把持部とともに第１の袋に収容された荷物の荷重を支え、かつ、第２の把持部とともに第２の袋に収容された荷物の荷重を支える。従って、バッグの使用者が第１〜第３の把持部をまとめて持つことで、第１〜第３の把持部は、第１の袋に収容された荷物の荷重と、第２の袋に収容された荷物の荷重とを安定して支えることができる。
【０００９】
また、前記第３の把持部は、前記接合部の両端部から中央よりの位置に接合され、前記第３の把持部の一端部の接合位置と、前記第３の把持部の他端部の接合位置とは、前記接合部の中央に対して対称な位置であることが好ましい。
【００１０】
第１の状態から第１の袋の表裏を反転させる際には、第１の袋と第２の袋を引き離す方向に接合部の両端部に引っ張り力が加わる。しかし、第３の把持部は接合部の両端部よりも中央よりに位置しているため、第３の把持部の一端部と他端部に引っ張り力が加わるのを避けることができる。従って、第３の把持部は荷物の荷重と引っ張り力の両方の力を受けることがなく、第３の把持部に荷重や力が集中するのを防ぐことができる。
また、第３の把持部の他端部の接合位置とは、接合部の中央に対して対称な位置であるため、荷物の荷重を安定して支えることができる。
【００１１】
前記接合部は、前記第１の袋の開口縁部の周長の１／２の長さより短く、かつ、前記第２の袋の開口縁部の周長の１／２の長さより短いことが好ましい。
【００１２】
前記構成によれば、接合部は第１の袋の幅方向の長さよりも短くなり、かつ、第２の袋の幅方向の長さよりも短くなるため、第１の袋の幅方向の両端及び第２の袋の幅方向の両端に非接合部を生じさせることができる。従って、第１の袋の底部が第１の袋の開口を通過しやすくなり、第１の袋の表裏の反転が容易となる。
【考案の効果】
【００１３】
本考案に係るバッグによると、第１の状態では、第１の袋内に第２の袋が収容されているので、バッグの収容容積は第１の袋の収容容積と同じである。また、第２の状態では、第１の袋と前記第２の袋とが並んで配置されるので、バッグの収容容積は第１の袋の収容容積と第２の袋の収容容積の和になり、収容容積が第１の状態よりも大きくなる。このため、バッグの使用者は、第１の状態と第２の状態とを切換えることにより、収容する荷物の容積に応じてバッグの収容容積を変更することができる。また、第１の袋の表裏を反転させて第２の袋を第１の袋の外側に出すだけの簡単な動作で、第１の状態と第２の状態とを切換えることができる。
【図面の簡単な説明】
【００１４】
【図１】本考案の一実施形態に係るバッグの構成を示す斜視図であり、第１の袋内に第２の袋が収容された第１の状態を示す。
【図２】バッグを第１の状態から第２の状態に切換える際の説明図である。
【図３】バッグの構成を示す斜視図であり、第１の袋と第２の袋とが並んで配置される第２の状態を示す。
【考案を実施するための形態】
【００１５】
以下、本考案の実施形態について、添付図面を参照しながら説明する。図１〜３は、本考案の一実施形態に係るバッグ１０の構成図である。
バッグ１０は、第１の袋２０と、第１の袋２０内に収容可能である第２の袋３０と、第１〜第３の把持部４０、４１、４２を備えている。
【００１６】
第１の袋２０は、略長方形，正方形等の方形状を呈し、対向して配置された二枚の布地２１、２２の幅方向（図１の矢印Ａの方向）の両端及び下端が縫合されている。第１の袋２０の上方には開口２３を有し、第１の袋２０の下方の２つの布地２１、２２の間にはマチが設けられて底部２４が形成されている。
この第１の袋２０を形成する材料は、第１の袋２０の表裏を反転させることが可能な程度に柔軟で、かつ、縫製または圧着することが可能な材料であり、例えば天然繊維もしくは合成繊維の織布や前記繊維の織布を複数重ね合わせ縫合した布体、天然繊維もしくは合成繊維を綿状にしてマット状に形成した不織布、プラスチック素材等の合成樹脂、皮革、和紙などである。
【００１７】
また、第２の袋３０は、第１の袋２０と同様に、方形状を呈し、対向して配置された二枚の布地３１、３２の幅方向の両端及び下端が縫合されている。第２の袋３０の上方には開口３３を有し、第２の袋３０の下方の２つの布地３１、３２の間にはマチが設けられて底部３４が形成されている。
この第２の袋３０を形成する材料は上述した第１の袋２０と同じ材料を例示することができる。
【００１８】
また、第１の袋２０の各布地２１、２２の幅方向の中央と、第２の袋３０の各布地３１、３２の幅方向の中央とが一致するように、第１の袋２０と第２の袋３０が配置され、第１の袋２０の一方の布地２２の開口縁部２５ａと第２の袋３０の一方の布地３２の開口縁部３５ａとが所定の長さで接合されて接合部５０が形成されている。接合部５０は、第１の袋２０の布地２２の幅方向の中央及び第２の袋３０の布地３２の幅方向の中央に位置している。
【００１９】
接合部５０は、第１の袋２０の開口縁部２５の周長の１／２の長さより短く、かつ、第２の袋３０の開口縁部３５の周長の１／２の長さより短い。すなわち、接合部５０は、第１の袋２０の幅方向の長さよりも短くなり、かつ、第２の袋３０の幅方向の長さよりも短くなっており、第１の袋２０の開口縁部２５の幅方向の両端及び第２の袋３０の開口縁部３５の幅方向の両端は、互いに接合されていない非接合部となる。
【００２０】
第１の把持部４０は、第１の袋２０の開口縁部２５における接合部５０以外の範囲に接合されている。本実施形態では、接合部５０が形成された布地２２と反対側の布地２１の開口縁部２５ｂに接合されている。第１の把持部４０は、帯状を呈し、バッグ１０を肩に掛けることや手に持つことが容易にできるように、上方に向けて逆Ｕ字形状となるように開口縁部２５ｂに接合されている。
また、第２の把持部４１も、第２の袋３０の開口縁部３５における接合部５０以外の範囲に接合されており、本実施形態では接合部５０が形成された布地３２と反対側の布地３１の開口縁部３５ｂに接合されている。その他の構成は第１の把持部４０と同様である。
【００２１】
また、第３の把持部４２は、接合部５０の両端部から中央よりの位置に接合されている。第３の把持部４２の一端部４２ａの接合位置と、第３の把持部４２の他端部４２ｂの接合位置とは、接合部５０の中央に対して対称な位置である。その他の構成は第１の把持部４０と同様である。
【００２２】
第１〜第３の把持部４０、４１、４２を形成する材料は上述した第１の袋２０と同じ材料を例示することができる。
【００２３】
バッグ１０は、図１に示すように、第１の袋２０内に第２の袋３０が収容された第１の状態では、第１の袋２０の開口２３と第２の袋３０の開口３３とが同じ向き（図１においては上方）に開き、接合部５０が第１の袋２０の開口縁部２５及び第２の袋３０の開口縁部３５の一方側（図１における矢印Ｄ１）に位置している。第１の袋２０及び第２の袋３０は、表地が外側にあり裏地が内側にある外表となっている。
【００２４】
この第１の状態から、第１の袋２０の表裏を反転させて、第１の袋２０と第２の袋３０とが並んで配置される第２の状態とする。詳細には、第１の袋２０の底部２４を手で掴み、図２に示すように、底部２４を、第１の袋２０の開口２３（開口２３における第１の袋２０の布地２１と第２の袋３０の布地３１の間）を通過するように移動させ、第１の袋２０の表裏を反転させる。これにより、第２の袋３０が第１の袋２０の外側に出て、図３に示すように、第１の袋２０と第２の袋３０とが並んで配置される第２の状態となる。
【００２５】
図３に示す第２の状態においては、第１の袋２０の開口２３と第２の袋３０の開口３３とが同じ向き（図３においては上向き）に開き、接合部５０が第１の袋２０の開口縁部２５の他方側（図３における矢印Ｄ２）に位置し、かつ、第２の袋３０の開口縁部３５の一方側（図３における矢印Ｄ１）に位置している。第１の袋２０は表裏が反転しているので、第２の状態においては、第１の袋２０は表地が内側にあり裏地が外側にある中表となり、第２の袋３０は外表のままである。
【００２６】
第２の状態から第１の状態に戻す場合には、再び第１の袋２０の底部２４を掴み、底部２４が第１の袋２０の開口２３を通過するように移動させて第１の袋２０の表裏を反転させる。そして、表裏を反転させた第１の袋２０内に第２の袋３０を収容すると、図１に示す第１の状態となる。
【００２７】
前記構成によれば、本考案のバッグ１０は、第１の状態では、第１の袋２０内に第２の袋３０が収容されているので、バッグ１０の収容容積は第１の袋２０の収容容積と同じである。また、第２の状態では、第１の袋２０と前記第２の袋３０とが並んで配置されるので、バッグ１０の収容容積は第１の袋２０の収容容積と第２の袋３０の収容容積の和になり、収容容積が第１の状態よりも大きくなる。バッグ１０の使用者は、第１の状態と第２の状態を切り換えることで、収容したい荷物の容積に応じてバッグ１０の収容容積を大きくすることができる。また、第１の袋の表裏を反転させて第２の袋３０を第１の袋２０の外側に出すだけの簡単な動作で、第１の状態と第２の状態を切換えることができる。
【００２８】
さらに、本考案のバッグ１０は、第１の袋２０内に第２の袋３０が収容されている第１の状態では、第２の袋３０は第１の袋２０内の空間を仕切る間仕切りとして使用することができる。また、第１の袋２０と第２の袋３０とが並んで配置された第２の状態では、２つのバッグ本体は接合部５０で接続されているものの別個のバッグ本体として使用することができる。
このため、例えば暖かい状態が好ましい商品と冷たい状態が好ましい商品、瓶や缶など硬い商品と野菜や果物など傷がつくのを避けたい商品とを別々に収容することが可能となる。
【００２９】
以上、本考案の一実施形態について説明したが、本考案は上記実施形態に限定されるものではなく、本考案の趣旨を逸脱しない限りにおいて種々の変更が可能である。
例えば、接合部５０は、第２の袋２０の幅方向の長さと同じとし、非接合部を設けなくてもよい。接合部５０を長くすることで、第２の袋２０を第１の袋１０にしっかりと接合することができる。
【符号の説明】
【００３０】
１０  バッグ
２０  第１の袋
２３  開口
２４  底部
２５  開口縁部
３０  第２の袋
３３  開口
３４  底部
３５  開口縁部
４０  第１の把持部
４１  第２の把持部
４２  第３の把持部
５０  接合部
Ａ  バッグの幅方向
Ｄ１  バッグの一方側
Ｄ２  バッグの他方側
【図１】
0003190517.tif 000003
【図２】
0003190517.tif 000004
【図３】
0003190517.tif 000005